(57)【要約】      （修正有）【課題】安定性能を解決し、研削台と多芯接続器との断面がいつも垂直状態にあり、操作しやすく、質量を保証し、二回の繰り返し研削を避けて量産の効率を向上させるクラウド・コンピューティング多芯接続器用の研削治具装置を提供する。【解決手段】クラウド・コンピューティング多芯接続器用の研削治具装置は、グラインダー１、研削台２、研削治具３及び分岐線ホルダー４を含み、グラインダー１には作業台５が設けられ、研削台２は作業台５に設置され、研削治具３と分岐線ホルダー４とは固定接続され、両者は共に研削台２の上方に設置され、研削治具３には均一に複数の挟持部が設けられ、分岐線ホルダー４はガイド治具を含み、ガイド治具には均一に複数のガイド部が設けられ、研削治具３とガイド治具とは平行になるように設置され、かつガイド治具は研削治具３の上方に設置され、挟持部とガイド部との数量及び位置は対応する。【選択図】図１
0003206698.tif 000002
【実用新案登録請求の範囲】
【請求項１】
クラウド・コンピューティング多芯接続器用の研削治具装置であって、グラインダー、研削台、研削治具及び分岐線ホルダーを含み、前記グラインダーには作業台が設けられ、前記研削台は前記作業台に設置され、前記研削治具と前記分岐線ホルダーとは固定接続し、両者は共に前記研削台の上方に設置され、
前記研削治具には均一に複数の挟持部が設けられ、前記分岐線ホルダーはガイド治具を含み、前記ガイド治具には均一に複数のガイド部が設けられ、前記研削治具と前記ガイド治具とは平行になるように設置され、かつ前記ガイド治具は前記研削治具の上方に設置され、前記挟持部と前記ガイド部との数量及び位置は対応し、多芯接続器は前記挟持部により前記ガイド部と共に固定されることを特徴とするクラウド・コンピューティング多芯接続器用の研削治具装置。
【請求項２】
前記ガイド治具は、さらに底板を含み、前記ガイド部は前記底板の辺縁に設置され、それぞれの前記ガイド部はいずれも第１押付けブロック、第１取付け体及び第１取付け体の両側に対称に設置される凹溝を含み、前記第１押付けブロックの長さは前記第１取付け体と両側の凹溝との長さの合計以上であり、前記第１押付けブロックと前記第１取付け体とは固定接続されることを特徴とする請求項１に記載のクラウド・コンピューティング多芯接続器用の研削治具装置。
【請求項３】
前記研削治具は、さらにベースを含み、前記挟持部は前記ベースの辺縁に設置され、それぞれの前記挟持部はいずれも第２押付けブロック、第２取付け体及び第２取付け体の両側に対称に設置される凹溝を含み、前記第２押付けブロックの長さは、前記第２取付け体と両側の凹溝との長さの合計以上であり、前記第２押付けブロックと前記第２取付け体とは固定接続されることを特徴とする請求項２に記載のクラウド・コンピューティング多芯接続器用の研削治具装置。
【請求項４】
前記分岐線ホルダーは、さらに接続ホルダーを含み、前記接続ホルダーの一端が前記研削治具に固定され、他端が前記ガイド治具に固定接続されることを特徴とする請求項３に記載のクラウド・コンピューティング多芯接続器用の研削治具装置。
【請求項５】
前記グラインダーは、さらに研削ホルダーと第１ガイドポストを含み、前記研削ホルダーが前記作業台に設置され、かつ前記第１ガイドポストに接続し、前記第１ガイドポストが前記研削台の真上に設置され、 
前記底板の中部が円形貫通孔であり、前記ガイド治具は、該円形貫通孔により前記第１ガイドポストに套設されることを特徴とする請求項４に記載のクラウド・コンピューティング多芯接続器用の研削治具装置。
【請求項６】
前記グラインダーは、さらに前記第１ガイドポストに接続する第２ガイドポストを含み、前記第１ガイドポストと前記第２ガイドポストとは共に円柱状であり、かつ前記第１ガイドポストの直径は前記第２ガイドポストの直径より大きく、前記第２ガイドポストの下端が前記研削治具に接続することを特徴とする請求項５に記載のクラウド・コンピューティング多芯接続器用の研削治具装置。
【請求項７】
前記研削治具のベースの中心箇所には接続軸が設けられ、前記研削治具は前記接続軸により前記第２ガイドポストに接続されることを特徴とする請求項６に記載のクラウド・コンピューティング多芯接続器用の研削治具装置。
【請求項８】
前記接続ホルダーは、取付け板と複数の接続棒を含み、前記取付け板には貫通孔と取付け孔とが設けられ、前記接続軸は該貫通孔を貫通し、前記取付け板は前記取付け孔により前記接続棒に接続し、前記接続棒の上端は前記底板に固定接続されることを特徴とする請求項７に記載のクラウド・コンピューティング多芯接続器用の研削治具装置。
【請求項９】
前記グラインダーには、さらにコンソールが設けられ、前記コンソールには１つのコントロールパネル及び／又は複数の制御ボタンが設置されることを特徴とする請求項１乃至８のいずれか一項に記載のクラウド・コンピューティング多芯接続器用の研削治具装置。
【請求項１０】
前記底板及び／又は前記ベースは正多角形であり、かつ該正多角形のコーナー角箇所が円弧状に設置されることを特徴とする請求項３に記載のクラウド・コンピューティング多芯接続器用の研削治具装置。
【考案の詳細な説明】
【技術分野】
【０００１】
本案は、接続器の技術分野に関し、具体的には、クラウド・コンピューティング多芯接続器用の研削治具装置に関する。
【背景技術】
【０００２】
科学技術の発展に伴って、特に、クラウド・コンピューティングが現れて、光接続器についての要求がますます高くなっている。光接続器は、光ファイバーと光ファイバーとの間が取り外し可能(活動)に接続する器具であり、それは光ファイバーの２つの端面を精密に突合せ、それにより、発射光ファイバーから出力した光エネルギーをできるだけ受信光ファイバーに結合させ、かつその光リンクに介入することによりシステムに対する影響を最も小さくし、それは光接続器の基本要求である。そして、クラウド・コンピューティングを応用すると共に、多芯接続器は、インターネット、ユビキタスネットワーク、トリプルプレイ、光通信、スマートシティ、新エネルギー、鉄路公路基礎建設、都市化などの戦略的新興産業における運用の市場発展の必要性がより活発になっている。
【０００３】
光ファイバーの取り外し可能な接続器の挿入芯の研削は、光ファイバーの取り外し可能な接続器の製造過程においてキー手順であり、研削の質は、光ファイバーの取り外し可能な接続器のキー性能パラメータに直接的に影響し、研削の第一回合格通過率が加工コストに直接的に影響する。通常の研削装置は、一般的に、光ファイバーの取り外し可能な接続器の継手のノックダウンを固定することにより挿入芯を間接的に位置決めするが、光ファイバーの取り外し可能な接続器の挿入芯と継手のノックダウンとの間には、そもそも公差が存在し、このように、研削過程において挿入芯の位置決めが精確ではなく（多芯時に位置決めがより不精確になる）、それにより研削挿入芯の端面の幾何学的なサイズの第一回合格通過率が低いため、使用の必要に応じて１００％まで達する必要があり、従って、合格ではないと、再加工して再び研削する必要があり、それにより、工数を浪費し、製造コストを増加する。
【０００４】
従って、本案の発明者は、新規技術を設計してその問題を改善する必要がある。  
【考案の概要】
【考案が解決しようとする課題】
【０００５】
本案は、クラウド・コンピューティング多芯接続器用の研削治具装置を提供し、それが精確に位置決めし、研削効率を大幅に向上させ、製造コストを低下させることができる。
【課題を解決するための手段】
【０００６】
上記技術問題を解決するために、本案の技術案は、以下の通りである。
【０００７】
クラウド・コンピューティング多芯接続器用の研削治具装置であって、グラインダー、研削台、研削治具及び分岐線ホルダーを含み、前記グラインダーには作業台が設けられ、前記研削台が前記作業台に設置され、前記研削治具と前記分岐線ホルダーとが固定接続し、両者が共同に前記研削台の上方に設置される。
【０００８】
前記研削治具には、均一に複数の挟持部が設けられ、前記分岐線ホルダーはガイド治具を含み、前記ガイド治具には均一に複数のガイド部が設けられ、前記研削治具と前記ガイド治具とが平行になるように設置され、かつ前記ガイド治具が前記研削治具の上方に設置され、前記挟持部と前記ガイド部との数量及び位置は対応し、多芯接続器は前記挟持部により前記ガイド部と共に固定される。
【０００９】
好ましくは、前記ガイド治具は、さらに底板を含み、前記ガイド部は前記底板の辺縁に設置され、それぞれの前記ガイド部はいずれも第１押付けブロック、第１取付け体および第１取付け体の両側に対称に設置される凹溝を含み、前記第１押付けブロックの長さは、前記第１取付け体と両側の凹溝の長さの合計以上であり、前記第１押付けブロックと前記第１取付け体とは固定接続される。
【００１０】
好ましくは、前記研削治具は、さらに、ベースを含み、前記挟持部は、前記ベースの辺縁に設置され、それぞれの前記挟持部はいずれも第２押付けブロック、第２取付け体及び第２取付け体の両側に対称に設置される凹溝を含み、前記第２押付けブロックの長さは前記第２取付け体と両側の凹溝との長さの合計以上であり、前記第２押付けブロックと前記第２取付け体とは固定接続される。
【００１１】
好ましくは、前記分岐線ホルダーは、さらに、接続ホルダーを含み、前記接続ホルダーの一端が前記研削治具に固定され、他端が前記ガイド治具に固定接続される。
【００１２】
好ましくは、前記グラインダーは、さらに研削ホルダーと第１ガイドポストを含み、前記研削ホルダーが前記作業台に設置され、かつ前記第１ガイドポストに接続し、前記第１ガイドポストが前記研削台の真上に設置される。 
【００１３】
前記底板の中部が円形貫通孔であり、前記ガイド治具は該円形貫通孔を介して前記第１ガイドポストに套設される。
【００１４】
好ましくは、前記グラインダーは、さらに前記第１ガイドポストに接続する第２ガイドポストを含み、前記第１ガイドポストと前記第２ガイドポストとは共に円柱状であり、かつ前記第１ガイドポストの直径が前記第２ガイドポストの直径より大きく、前記第２ガイドポストの下端と前記研削治具とは接続する。
【００１５】
好ましくは、前記研削治具のベースの中心箇所には接続軸が設けられ、前記研削治具が前記接続軸により前記第２ガイドポストに接続する。
【００１６】
好ましくは、前記接続ホルダーは、取付け板と複数の接続棒を含み、前記取付け板には貫通孔と取付け孔が設けられ、前記接続軸は該貫通孔を貫通し、前記取付け板は前記取付け孔により前記接続棒に接続し、前記接続棒の上端が前記底板に固定接続される。
【００１７】
好ましくは、前記グラインダーには、さらにコンソールが設けられ、前記コンソールにはコントロールパネル及び／又は複数の制御ボタンが設けられている。
【００１８】
好ましくは、前記底板及び／又は前記ベースは正多角形であり、かつ該正多角形のコーナー角箇所が円弧状に設置される。
【考案の効果】
【００１９】
上記技術案を採用することにより、本案は、少なくとも以下の有利な効果を有している。
【００２０】
本案に記載のクラウド・コンピューティング多芯接続器用の研削治具装置は、研削プロセスの操作可能性、加工の便利性、質量の信頼性（安定性）及び量産の効率の向上を実現することができる。治具により安定性を解決し、研削台と多芯接続器との断面がいつも垂直状態にあり、操作しやすく、質量を保証し、二回の繰り返し研削を避けて量産の効率を向上させる。該装置により製造された多芯接続器は、特に、クラウド・コンピューティングの分野に適用し、比較的よい市場的応用価値を有している。
【図面の簡単な説明】
【００２１】
【図１】本案に係るクラウド・コンピューティング多芯接続器用の研削治具装置の構成を示す模示図である。
【図２】本案に係る分岐線ホルダーの構成を示す模示図である。
【図３】本案に係る底板の構成を示す模示図である。
【図４】本案に係る研削治具の構成を示す模示図である。
【図５】本案に係るベースの構成を示す模示図である。
【図６】本案に係るクラウド・コンピューティング多芯接続器用の研削治具装置の応用を示す模示図である。
【図７】図６の側面図である。
【図８】図６の一部の拡大図である。
【図９】多芯接続器の構成を示す模示図である。
【考案を実施するための形態】
【００２２】
以下、本案の実施例における図面を結合して、本案の実施例における技術案をはっきり、完全に説明し、明らかに、説明した実施例は、ただ本案の一部の実施例であり、すべての実施例ではない。本案における実施例に基づいて、当業者は、創造的労働をしない前提で取得したすべてのほかの実施例は、いずれも本案の保護しようとする範囲に含まれる。
【００２３】
図１乃至図５に示すように、本案に該当するクラウド・コンピューティング多芯接続器用の研削治具装置であって、グラインダー１、研削台２、研削治具３及び分岐線ホルダー４を含み、前記グラインダー１には作業台５が設けられ、前記研削台２は前記作業台５に設置され、前記研削治具３と前記分岐線ホルダー４とは固定接続し、両者は共に前記研削台２の上方に設置される。
【００２４】
前記研削治具３には均一に複数の挟持部３１が設けられ、前記分岐線ホルダー４はガイド治具を含み、前記ガイド治具には均一に複数のガイド部が設けられ、前記研削治具３と前記ガイド治具とは平行になるように設置され、かつ前記ガイド治具は前記研削治具３の上方に設置され、前記挟持部３１と前記ガイド部との数量及び位置は対応し、多芯接続器１０は前記挟持部３１により前記ガイド部と共に固定される。
【００２５】
好ましくは、前記ガイド治具は、さらに底板４３を含み、前記ガイド部は前記底板４３の辺縁に設置され、それぞれの前記ガイド部はいずれも第１押付けブロック４４、第１取付け体４５及び第１取付け体４５の両側に対称に設置される凹溝を含み、前記第１押付けブロック４４の長さは前記第１取付け体４５と両側の凹溝の長さの合計以上であり、前記第１押付けブロック４４と前記第１取付け体４５とは固定接続される。
【００２６】
好ましくは、前記研削治具３は、さらにベース３２を含み、前記挟持部３１は前記ベース３２の辺縁に設置され、それぞれの前記挟持部３１はいずれも第２押付けブロック３３、第２取付け体３４及び第２取付け体３４の両側に対称に設置される凹溝を含み、前記第２押付けブロック３３の長さは前記第２取付け体３４と両側の凹溝の長さの合計以上であり、前記第２押付けブロック３３と前記第２取付け体３４とは固定接続される。
【００２７】
好ましくは、前記分岐線ホルダー４は、さらに接続ホルダーを含み、前記接続ホルダーの一端が前記研削治具３に固定され、他端が前記ガイド治具に固定接続される。
【００２８】
好ましくは、前記グラインダー１は、さらに研削ホルダー６と第１ガイドポスト７を含み、前記研削ホルダー６が前記作業台５に設置され、かつ前記第１ガイドポスト７に接続し、前記第１ガイドポスト７が前記研削台２の真上に設置される。
【００２９】
前記底板４３の中部が円形貫通孔であり、前記ガイド治具は該円形貫通孔により前記第１ガイドポスト７に套設される。
【００３０】
好ましくは、前記グラインダー１は、さらに前記第１ガイドポスト７に接続する第２ガイドポスト８を含み、前記第１ガイドポスト７と前記第２ガイドポスト８とは共に円柱状であり、かつ前記第１ガイドポスト７の直径は前記第２ガイドポスト８の直径より大きく、前記第２ガイドポスト８の下端と前記研削治具３とは接続する。
【００３１】
好ましくは、前記研削治具３のベース３２の中心箇所には接続軸３５が設けられ、前記研削治具３は前記接続軸３５により前記第２ガイドポスト８に接続される。
【００３２】
好ましくは、前記接続ホルダーは、取付け板４１と複数の接続棒４２を含み、前記取付け板４１には貫通孔と取付け孔とが設置され、前記接続軸３５は該貫通孔を貫通し、前記取付け板４１は前記取付け孔により前記接続棒４２に接続し、前記接続棒４２の上端は前記底板４３に固定接続される。
【００３３】
好ましくは、前記グラインダー１には、さらにコンソール９が設けられ、前記コンソール９にはコントロールパネル及び／又は複数の制御ボタンが設けられている。
【００３４】
好ましくは、前記底板４３及び／又は前記ベース３２は正多角形であり、かつ該正多角形のコーナー角箇所が円弧状に設置される。
【００３５】
実際の使用において、図６乃至図９に示すように、多芯接続器１０の挿入芯は、まず、前記ガイド部を通過し、その後に前記挟持部３１を通過し、前記挟持部３１と前記ガイド部との数量及び位置は対応するので、分岐線ホルダー４と研削治具３との配合により多芯接続器１０に対する二重固定を実現することができ、即ち、研削台と多芯接続器１０との断面がいつも垂直状態にあり、操作しやすく、質量を保証することができる。従来の単一の治具のみにより固定する方式に比べて、安定性がより高いと共に、 研削過程において挿入芯の位置決めが悪い問題を有効的に避けることができ、研削の効率を大幅に向上させ、企業の製造コストを低下させる。
【００３６】
即ち、本実施例は、研削プロセスの操作可能性、加工の便利性、質量の信頼性（安定性）及び量産の効率の向上を実現することができる。治具により安定性能を解決し、研削台と多芯接続器１０との断面がいつも垂直状態にあり、操作しやすく、質量を保証し、二回の繰り返し研削を避けて量産の効率を向上させる。該装置により製造された多芯接続器１０は、特に、クラウド・コンピューティング分野に適用し、比較的よい市場的応用価値を有している。
【００３７】
以上のように公開した実施例の説明により、当業者は、本案を実現したり、使用したりすることができる。これらの実施例の複数種の改正は、当業者にとっては明らかなものであり、本文に定義した一般的な原理は、本案の精神又は範囲を逸脱しない場合で、そのほかの実施例において実現することができる。従って、本案は、本文に示したこれらの実施例に限定されず、本文に公開した原理及び新規特徴と一致する最も広い範囲に合致する必要がある。 
【符号の説明】
【００３８】
１. グラインダー、 ２. 研削台、 ３. 研削治具、３１. 挟持部、３２. ベース、３３. 第２押付けブロック、３４. 第２取付け体、３５. 接続軸、４. 分岐線ホルダー、４１.取付け板、４２. 接続棒、４３底板、４４. 第１押付けブロック、４５. 第１取付け体、５. 作業台、６. 研削ホルダー、７. 第１ガイドポスト、８. 第２ガイドポスト、９. コンソール、１０. 多芯接続器。
【図１】
0003206698.tif 000003
【図２】
0003206698.tif 000004
【図３】
0003206698.tif 000005
【図４】
0003206698.tif 000006
【図５】
0003206698.tif 000007
【図６】
0003206698.tif 000008
【図７】
0003206698.tif 000009
【図８】
0003206698.tif 000010
【図９】
0003206698.tif 000011